(57)【要約】      （修正有）【課題】手首等の装着対象に、簡単な動作で容易に着脱できる装飾品を提供する。【解決手段】装飾品１は、装着対象を挿脱可能なリング部を形成する第１の線状部材１１と、第１の線状部材上に設けられた第１の磁性体３７と、第１の線状部材に沿って第１の磁性体から第１の距離（第４の線状部材４１の長さ）を隔てて第１の線状部材上に一端が設けられた第２の線状部材２１と、第２の線状部材に設けられた第２の磁性体６１とを有する。第２の磁性体は、手首への装着前は、第１の磁性体とは磁着しない状態になっている。リング部に手首を挿通して、サイズ調整した後に第１の磁性体と第２の磁性体とを近づけて磁着させる。これにより、第１のリング部が狭まり、装飾品を手首に留めることができる。【選択図】図１
0003217787.tif 000002
【実用新案登録請求の範囲】
【請求項１】
装着対象に着脱可能に装着される装飾品であって、前記装着対象を挿脱可能なリング部を形成する第１の線状部材と、
前記第１の線状部材上に設けられた第１の磁性体と、
前記第１の線状部材に沿って前記第１の磁性体から第１の距離を隔てた前記第１の線状部材上に一端が設けられた第２の線状部材と、
前記第２の線状部材に設けられた第２の磁性体と
を有し、
前記第２の線状部材の前記一端と前記第２の磁性体との間の前記第２の線状部材に沿った第２の距離よりも、前記第１の距離が長い
装飾品。
【請求項２】
前記第１の線状部材は、第３の線状部材と第４の線状部材とで形成され、
前記第３の線状部材上にはスライド部材が設けられており、
前記第２の線状部材と前記第４の線状部材は、前記スライド部材を貫通する１本の第５の線状部材で構成されている
請求項１に記載の装飾品。
【請求項３】
第５の線状部材は、第３の線状部材より細い
請求項２に記載の装飾品。
【請求項４】
前記装着対象に装着される前に、前記第１の磁性体と前記第２の磁性体とを磁着しない状態で、前記第１の線状部材が第１の前記リング部を形成し、
前記装着対象を、前記第１のリング部に挿通した後に、前記第１の磁性体と前記第２の磁性体とを磁着して、前記第２の線状部材と前記第３の線状部材部とで一体となって、前記第１のリング部より小さい第２のリング部を形成可能に、
前記スライド部材によって、前記第５の線状部材が折り返されている
請求項２又は請求項３に記載の装飾品。
【考案の詳細な説明】
【技術分野】
【０００１】
本考案は、ブレスレッド等の装飾品に関する。
【背景技術】
【０００２】
従来のブレスレットに採用されている留め具は、チェーンの両端をフック式や押し込み式で着脱可能に固定している。
【考案の開示】
【考案が解決しようとする課題】
【０００３】
しかしながら、上述した従来のブレスレッドの留め具では、手首等の装着対象への着脱に手間がかかり、装着者が指などで留め具に強い負荷をかけて壊れてしまう場合があるという問題がある。
【０００４】
本考案は、上述した従来技術の問題点に鑑みて、手首等の装着対象に簡単な動作で容易に着脱できる装飾品を提供することを目的とする。
【課題を解決するための手段】
【０００５】
上述した目的を達成するために、本考案の装飾品は、装着対象に着脱可能に装着される装飾品であって、前記装着対象を挿脱可能なリング部を形成する第１の線状部材と、前記第１の線状部材上に設けられた第１の磁性体と、前記第１の線状部材に沿って前記第１の磁性体から第１の距離を隔てた前記第１の線状部材上に一端が設けられた第２の線状部材と、前記第２の線状部材に設けられた第２の磁性体とを有し、前記第２の線状部材の前記一端と前記第２の磁性体との間の前記第２の線状部材に沿った第２の距離よりも、前記第１の距離が長い。
【０００６】
この構成によれば、第１の磁性体と第２の磁性体とを磁力により接合する（磁着）する前には、第１の線状部材全体の長さ（第１の距離）に応じた比較的広い第１のリング部を形成し、装着対象を当該第１のリング部に挿脱できる。
一方、第１の磁性体と第２の磁性体とを磁着した状態では、第１の線状部材の一部と第２の線状部材（第２の距離）の総長に応じた狭い第２のリング部を形成し、当該第２のリング部に挿入された装着対象が外れないように留めることができる。
ここで、第２のリング部の周方向の長さは、第１のリング部に比べて、第１の距離から第２の距離を差し引いた分だけ短くなる。
すなわち、本考案の装飾品では、第１の磁性体と第２の磁性体とを磁着させるかどうかで、リング部のサイズ調整を容易にできる。そのため、従来のフック式や押し込み式を採用したブレスレットの留め具に比べて、手首等の装着対象に簡単な動作で容易に着脱でき、留め具に無理な力が加わることがなく、壊れにくいという効果が得られる。
【０００７】
好適には、前記第１の線状部材は、第３の線状部材と第４の線状部材とで形成され、前記第３の線状部材上にはスライド部材が設けられており、前記第２の線状部材と前記第４の線状部材は、前記スライド部材を貫通する１本の第５の線状部材で構成されている。
【０００８】
この構成によれば、スライド部材と第５の線状部材との相対的な位置をスライドさせて調整することで、上述した第１のリング部及び第２のリング部の大きさを容易に調整できる。
【０００９】
好適には、第５の線状部材は、第３の線状部材より細い。
【００１０】
この構成によれば、スライド部材の貫通する第５の線状部材を細くすることで、スライド部材の大きさを小さくできる。
【００１１】
好適には、前記装着対象に装着される前に、前記第１の磁性体と前記第２の磁性体とを磁着しない状態で、前記第１の線状部材が第１の前記リング部を形成し、前記装着対象を、前記第１のリング部に挿通した後に、前記第１の磁性体と前記第２の磁性体とを磁着して、前記第２の線状部材と前記第３の線状部材部とで一体となって、前記第１のリング部より小さい第２のリング部を形成可能に、前記スライド部材によって、前記第５の線状部材が折り返されている。
【考案の効果】
【００１２】
本考案によれば、手首等の装着対象に簡単な動作で容易に着脱できる装飾品を提供することができる。
【図面の簡単な説明】
【００１３】
【図１】図１は、本考案の実施形態に係わる装飾品の手首への装着前状態を説明するための正面図である。
【図２】図２は、本考案の実施形態に係わる装飾品の手首への装着後状態を説明するための正面図である。
【図３】図３は、図１に示すスライド部材付近の拡大図である。
【図４】図４は、図２に示す第１の磁性体及び第２の磁性体付近の拡大図である。
【図５】図５は、図２に示す第１の磁性体及び第２の磁性体付近の拡大斜視図である。
【図６】図６は、図２に示すスライド部材付近の拡大図である。
【考案を実施するための最良の形態】
【００１４】
以下、本考案の実施形態に係る装飾品を、図面を参照しながら説明する
図１は、本考案の実施形態に係わる装飾品１の手首への装着前状態を説明するための正面図である。
図２は、本考案の実施形態に係わる装飾品１の手首への装着後状態を説明するための正面図である。
本実施形態において、装飾品１は、例えば、装着対象としての手首に着脱可能に装着されるブレスレッドである。
【００１５】
図１に示すように、装飾品１は、例えば、装着前状態において手首を挿脱可能な大きさの第１のリング部１１ａを形成する第１の線状部材１１を有する。
第１の線状部材１１上には、第１の磁性体３７が設けられている。
【００１６】
また、第１の線状部材１１に沿った方向で第１の磁性体３７と第１の距離（第４の線状部材４１の長さ）を隔てた、第１の線状部材１１上（具体的には第３の線状部材３１の端部のスライド部材７１）に第２の線状部材２１の一端が設けられている。
第２の線状部材２１の他端、すなわち、スライド部材７１から第２の距離を隔てた位置に、第２の磁性体６１が設けられている。
【００１７】
第１の磁性体３７及び第２の磁性体６１は、両者を近接させたときに磁力で引き合って接合できれば、双方が磁石でもよいし、一方が磁石で他方が鉄等の磁性体でもよい。また、接合状態において、装飾品１の使用時に両者が外れない程度の磁力を持つように規定されている。
【００１８】
本実施形態において、第４の線状部材４１の長さである第１の距離は、第２の線状部材２１の長さである第２の距離よりも長い。
本実施形態において、第１の線状部材１１及び第２の線状部材２１は、チェーンである。
【００１９】
第２の磁性体６１は、装飾品１を手首に装着する前では、図１に示すように、第１の磁性体３７と磁着しない状態になっている。
これにより、第１の線状部材１１全体の長さ、すなわち第３の線状部材３１と第４の線状部材４１（第１の距離）との総長に応じた比較的大きい（広い）第１のリング部１１ａが形成され、手を第１のリング部１１ａに挿脱できる。
【００２０】
一方、第２の磁性体６１は、手首への装着後は、装着者が逆の手等で第２の磁性体６１を第１の磁性体３７に近づけて、図２、図４及び図５に示すように、第２の磁性体６１と第１の磁性体３７とを磁着させる。
これにより、第１の線状部材１１の一部である第３の線状部材３１と第２の線状部材２１（第２の距離）の総長に応じた狭い（小さい）第２のリング部１１ｂを形成する。すなわち、第２のリング部１１ｂの周方向の長さは、第１のリング部１１ａに比べて、第１の距離から第２の距離を差し引いた分だけ短い。この状態では、第１のリング部１１ａを介して挿入された手が第２のリング部１１ｂを通らなくなり、手首から装飾品１が外れないように留めることができる。
【００２１】
図１に示すように、第１の線状部材１１は、第３の線状部材３１と第４の線状部材４１とで形成されている。
【００２２】
図３は、図１に示すスライド部材７１付近の拡大図である。
第３の線状部材３１の一端に第１の磁性体３７が設けられ、他端には図３に示すように引き輪３５を介してスライド部材７１が設けられている。
第２の線状部材２１と第４の線状部材４１とによって、スライド部材７１の貫通孔７１ａを貫通する１本の第５の線状部材５１で構成されている。貫通孔７１ａには弾性体が設けられており、第５の線状部材５１が当該弾性体で一定以上のスライド力が加えられた場合にスライドするように保持されている。装着前に装着者が手等で、第５の線状部材５１をスライド部材７１にスライドさせてサイズ調整を行う。
【００２３】
すなわち、装飾品１は、線状部材として、第３の線状部材３１と、第５の線状部材５１との２つの線状部材を用いている。
第５の線状部材５１は、第３の線状部材３１より細い。
第５の線状部材５１は、スライド部材７１で折り返されて、第２の線状部材２１と第４の線状部材４１を形成する。
【００２４】
以下、装飾品１の使用方法を説明する。
［装着前］
装飾品１を手首へ装着する前では、図１に示すように、第２の磁性体６１は、第１の磁性体３７と磁着しない状態になっている。
これにより、第１の線状部材１１全体の長さに応じた比較的大きい第１のリング部１１ａが形成され、手を第１のリング部１１ａに挿脱できる。
装着前に装着者が手等で、第５の線状部材５１をスライド部材７１にスライドさせてサイズ調整を行う。
【００２５】
［装着動作］
図４は、図２に示す第１の磁性体３７及び第２の磁性体６１付近の拡大図である。図５は、図２に示す第１の磁性体３７及び第２の磁性体６１付近の拡大斜視図である。図６は、図２に示すスライド部材７１付近の拡大図である。
【００２６】
装着前で上述したように図１に示す第１のリング部１１ａに手を挿通し、第１のリング部１１ａに手首を位置させる。
この状態で、装着者が逆の手等で第２の磁性体６１を第１の磁性体３７に近づけることで、図２、図４及び図５に示すように、第２の磁性体６１と第１の磁性体３７とを磁着させる。
これにより、図２に示すように、第３の線状部材３１と第４の線状部材４１とによって第１のリング部１１ａより小さい第２のリング部１１ｂが形成され、第１のリング部１１ａを介して挿入された手が第２のリング部１１ｂを通らなくなり、手首から装飾品１が外れないように留められる。
【００２７】
［脱着動作］
第１のリング部１１ａに手首が位置する図２に示す状態で、装着者が逆の手等で、磁力に抗して磁着した第１の磁性体３７と第２の磁性体６１とを引き離し、装飾品１を図２から図１に示す状態にする。
そして、図１に示す第１のリング部１１ａに手を通して装飾品１から手を外す。
【００２８】
以上説明したように、装飾品１では、第１の磁性体３７と第２の磁性体６１とを近づけて磁着させるかどうかで、第１のリング部１１ａ及び第２のリング部１１ｂの大きさを変更できる。そのため、従来のフック式や押し込み式を採用したブレスレットの留め具に比べて、手首等の装着対象に簡単な動作で容易に着脱でき、留め具に無理な力が加わることがなく、壊れにくいという効果が得られる。
【００２９】
また、装飾品１によれば、スライド部材７１の貫通孔７１ａを貫通する第５の線状部材５１をスライドさせて位置を調整することで、図１に示す第１のリング部１１ａと図２に示す第２のリング部１１ｂとのサイズに調整できる。
【００３０】
また、装飾品１によれば、前述したように、第５の線状部材５１を第３の線状部材３１より細くしたことで、スライド部材７１の大きさを小さくできる。これにより、装飾効果をさらに高めることができる。
【００３１】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００３２】
例えば、上述した実施形態で、２本の第３の線状部材３１及び第５の線状部材５１を用いて構成した例を説明したが、２本の第１の線状部材１１及び第２の線状部材２１を用いて構成してもよい。
また、上述した実施形態で、第２の線状部材２１及び第４の線状部材４１が１本の第５の線状部材５１で形成される場合を例示したが、第２の線状部材２１と第４の線状部材４１とを異なる線状部材で構成してもよい。
【００３３】
また、スライド部材７１を用いないようにしてもよい。この場合には、例えば、第２の線状部材２１が第１の線状部材１１に直接取り付けられるようにしてもよい。
【００３４】
また、上述した実施形態では、第５の線状部材５１が第１の線状部材１１より細い場合を例示したが、同じ太さでもよいし、太さの大小が逆でもよい。
【００３５】
また、上述した実施形態では、第２の線状部材２１及び第３の線状部材３１としてチェーンを例示したが、線状部材はチェーン以外の紐等の線状部材であってもよい。
また、線状部材のデザインは、図１等に示したものに限定されない。
【００３６】
さらに、上述した実施形態で本考案をブレスレッドに適用した場合を例示したが、それ以外の装飾品に本考案を適用してもよい。
【産業上の利用可能性】
【００３７】
本考案は、例えば、ブレスレッド等の装飾品に適用可能である。
【符号の説明】
【００３８】
１…装飾品
１１…第１の線状部材
１１ａ…第１のリング部
１１ｂ…第２のリング部
２１…第２の線状部材
３１…第３の線状部材
３５…引き輪
３７…第１の磁性体
４１…第４の線状部材
５１…第５の線状部材
６１…第２の磁性体
７１…スライド部材
７１ａ…貫通孔
【図１】
0003217787.tif 000003
【図２】
0003217787.tif 000004
【図３】
0003217787.tif 000005
【図４】
0003217787.tif 000006
【図５】
0003217787.tif 000007
【図６】
0003217787.tif 000008